(57)【要約】【課題】場所や時刻に応じて、所望のサイトをより迅速に呈示する。【解決手段】ＧＰＳ受信部１２は、ＧＰＳアンテナ１３で受信した、人工衛星から送信されたＧＰＳの情報を基に、現在位置を示す現在位置情報を生成することにより、現在位置を示す現在位置情報を取得し、取得した現在位置情報を通信部１１に供給する。通信部１１の送信部５３は、制御部３３の制御の基に、基地局２、公衆回線網３、およびネットワーク４を介して、サーバ６に、現在位置情報で示される現在位置および現在時刻から選択されるサイトのコンテンツを要求する。受信部５４は、サーバ６から送信されたサイトのコンテンツを受信する。本発明は、携帯電話機に適用できる。【選択図】      図２
2004318463.tif 000002
【特許請求の範囲】
【請求項１】
第１のサーバから送信されたコンテンツをブラウザで呈示する携帯電話機において、
現在位置を示す現在位置情報を取得する現在位置情報取得手段と、
前記現在位置情報で示される前記現在位置および現在時刻から選択されるサイトの前記コンテンツを要求する要求手段と、
前記第１のサーバから送信された前記サイトの前記コンテンツの受信を制御する第１の受信制御手段と
を含むことを特徴とする携帯電話機。
【請求項２】
前記現在位置情報取得手段は、ＧＰＳ（Ｇｌｏｂａｌ  Ｐｏｓｉｔｉｏｎｉｎｇ  Ｓｙｓｔｅｍ）によって、前記現在位置情報を取得する
ことを特徴とする請求項１に記載の携帯電話機。
【請求項３】
前記現在位置情報取得手段は、基地局の位置を示す基地局位置情報を受信することによって、前記現在位置情報としての前記基地局位置情報を取得する
ことを特徴とする請求項１に記載の携帯電話機。
【請求項４】
前記現在位置情報の第２のサーバへの送信を制御する送信制御手段と、
前記現在位置および前記現在時刻を基に前記第２のサーバによって選択され、前記第２のサーバから送信された前記サイトを示すアドレスの受信を制御する第２の受信制御手段と
をさらに含み、
前記要求手段は、受信された前記サイトを示す前記アドレスを基に、前記サイトの前記コンテンツを要求する
ことを特徴とする請求項１に記載の携帯電話機。
【請求項５】
前記要求手段は、第２のサーバに、前記現在位置情報を送信すると共に、前記現在位置および前記現在時刻から選択される前記サイトの前記コンテンツを要求し、
前記第１の受信制御手段は、前記現在位置および前記現在時刻を基に前記第２のサーバによって選択された前記サイトの前記コンテンツであって、前記第２のサーバを介して、前記第１のサーバから送信された前記コンテンツの受信を制御する
ことを特徴とする請求項１に記載の携帯電話機。
【請求項６】
前記現在時刻を示す現在時刻情報を取得する現在時刻情報取得手段をさらに含む
ことを特徴とする請求項１に記載の携帯電話機。
【請求項７】
前記現在位置情報取得手段は、前記ブラウザが起動された場合、前記現在位置情報を取得し、
前記要求手段は、前記ブラウザが起動された場合、前記現在位置および前記現在時刻から選択される前記サイトの前記コンテンツを要求する
ことを特徴とする請求項１に記載の携帯電話機。
【請求項８】
第２のサーバから送信された、前記現在位置および前記現在時刻と前記サイトのアドレスとの対応を示す対応データの受信を制御する第２の受信制御手段と、
前記対応データ並びに前記現在位置および前記現在時刻を基に、前記サイトの前記アドレスを選択する選択手段と
をさらに含み、
前記要求手段は、前記選択手段によって選択された前記サイトの前記アドレスを基に、前記サイトの前記コンテンツを要求する
ことを特徴とする請求項１に記載の携帯電話機。
【請求項９】
サーバから送信されたコンテンツをブラウザで呈示する携帯電話機の情報処理方法において、
現在位置を示す現在位置情報を取得する現在位置情報取得ステップと、
前記現在位置情報で示される前記現在位置および現在時刻から選択されるサイトの前記コンテンツを要求する要求ステップと、
前記サーバから送信された前記サイトの前記コンテンツの受信を制御する受信制御ステップと
を含むことを特徴とする情報処理方法。
【請求項１０】
サーバから送信されたコンテンツをブラウザで呈示する携帯電話機の情報処理を、コンピュータに行わせるプログラムにおいて、
現在位置を示す現在位置情報を取得する現在位置情報取得ステップと、
前記現在位置情報で示される前記現在位置および現在時刻から選択されるサイトの前記コンテンツを要求する要求ステップと、
前記サーバから送信された前記サイトの前記コンテンツの受信を制御する受信制御ステップと
を含むことを特徴とするプログラム。
【請求項１１】
現在位置および現在時刻とサイトのアドレスとの対応を示す対応データの記憶を制御する記憶制御手段と、
携帯電話機から送信された前記現在位置を示す現在位置情報の受信を制御する受信制御手段と、
前記現在位置情報によって示される前記現在位置および前記現在時刻、並びに前記対応データを基に、前記サイトの前記アドレスを選択する選択手段と、
前記サイトの前記アドレスおよび前記サイトのコンテンツのいずれか一方の前記携帯電話機への送信を制御する送信制御手段と
を含むことを特徴とする情報提供装置。
【請求項１２】
現在位置および現在時刻とサイトのアドレスとの対応を示す対応データの記憶を制御する記憶制御ステップと、
携帯電話機から送信された前記現在位置を示す現在位置情報の受信を制御する受信制御ステップと、
前記現在位置情報によって示される前記現在位置および前記現在時刻、並びに前記対応データを基に、前記サイトの前記アドレスを選択する選択ステップと、
前記サイトの前記アドレスおよび前記サイトのコンテンツのいずれか一方の前記携帯電話機への送信を制御する送信制御ステップと
を含むことを特徴とする情報提供方法。
【請求項１３】
現在位置および現在時刻とサイトのアドレスとの対応を示す対応データの記憶を制御する記憶制御ステップと、
携帯電話機から送信された前記現在位置を示す現在位置情報の受信を制御する受信制御ステップと、
前記現在位置情報によって示される前記現在位置および前記現在時刻、並びに前記対応データを基に、前記サイトの前記アドレスを選択する選択ステップと、
前記サイトの前記アドレスおよび前記サイトのコンテンツのいずれか一方の前記携帯電話機への送信を制御する送信制御ステップと
をコンピュータに実行させることを特徴とするプログラム。
【請求項１４】
現在位置および現在時刻とサイトのアドレスとの対応を示す対応データの記憶を制御する記憶制御手段と、
携帯電話機から要求された場合、前記対応データの前記携帯電話機への送信を制御する送信制御手段と
を含むことを特徴とする情報提供装置。
【請求項１５】
現在位置および現在時刻とサイトのアドレスとの対応を示す対応データの記憶を制御する記憶制御ステップと、
携帯電話機から要求された場合、前記対応データの前記携帯電話機への送信を制御する送信制御ステップと
を含むことを特徴とする情報提供方法。
【請求項１６】
現在位置および現在時刻とサイトのアドレスとの対応を示す対応データの記憶を制御する記憶制御ステップと、
携帯電話機から要求された場合、前記対応データの前記携帯電話機への送信を制御する送信制御ステップと
をコンピュータに実行させることを特徴とするプログラム。
【発明の詳細な説明】
【０００１】
【発明の属する技術分野】
本発明は携帯電話機、情報処理方法、情報提供装置および方法、並びにプログラムに関し、特に、所定のサイトのコンテンツを呈示することができるようにした携帯電話機、情報処理方法、情報提供装置および方法、並びにプログラムに関する。
【０００２】
【従来の技術】
近年、携帯電話機は、爆発的に普及しており、電子メール送受信機能および簡易的なインターネット接続機能を有する携帯電話機も数多く使用されている。
【０００３】
インターネット接続機能を有する携帯電話機は、多くの場合、一般にトップページと称される、携帯電話オペレータ（携帯電話回線提供者）によって作成されたＷｅｂサイトに自動的に接続し、トップページのコンテンツをＷｅｂブラウザに表示させる。
【０００４】
図１で示されるように、インターネット接続機能を有する携帯電話機は、”１．マイメニュー”、”２．愛ｍｏｄｅガイド”、”３．お得情報”、”４．検索”、”５．お知らせ”、および”６．利用明細”からなるトップページのコンテンツを表示させる。
【０００５】
また、携帯無線端末の使用者が、時差のある場所に移動するような場合に、基地局からの地域コードや、相手端末からの発信番号などを利用して時差を検出し、通常時の時間である「Ｈｏｍｅ」タイムに加えて、時差を考慮した時間である「Ｌｏｃａｌ」タイムも表示するように自動で切り換えるようにしているものもある（例えば、特許文献１参照）。
【０００６】
【特許文献１】
特開２００２−３５９８７２号公報
【０００７】
【発明が解決しようとする課題】
しかしながら、携帯電話機の使用者は、常にトップページの閲覧を希望してるいわけではなく、希望するサイトを閲覧するためには、トップページのリンクを辿る操作が必要とされる。
【０００８】
本発明はこのような状況に鑑みてなされたものであり、場所や時刻に応じて、所望のサイトをより迅速に呈示できるようにすることを目的とする。
【０００９】
【課題を解決するための手段】
本発明の携帯電話機は、現在位置を示す現在位置情報を取得する現在位置情報取得手段と、現在位置情報で示される現在位置および現在時刻から選択されるサイトのコンテンツを要求する要求手段と、第１のサーバから送信されたサイトのコンテンツの受信を制御する第１の受信制御手段とを含むことを特徴とする。
【００１０】
現在位置情報取得手段は、ＧＰＳによって、現在位置情報を取得するようにすることができる。
【００１１】
現在位置情報取得手段は、基地局の位置を示す基地局位置情報を受信することによって、現在位置情報としての基地局位置情報を取得するようにすることができる。
【００１２】
携帯電話機は、現在位置情報の第２のサーバへの送信を制御する送信制御手段と、現在位置および現在時刻を基に第２のサーバによって選択され、第２のサーバから送信されたサイトを示すアドレスの受信を制御する第２の受信制御手段とをさらに設け、要求手段は、受信されたサイトを示すアドレスを基に、サイトのコンテンツを要求するようにすることができる。
【００１３】
要求手段は、第２のサーバに、現在位置情報を送信すると共に、現在位置および現在時刻から選択されるサイトのコンテンツを要求し、第１の受信制御手段は、現在位置および現在時刻を基に第２のサーバによって選択されたサイトのコンテンツであって、第２のサーバを介して、第１のサーバから送信されたコンテンツの受信を制御するようにすることができる。
【００１４】
携帯電話機は、現在時刻を示す現在時刻情報を取得する現在時刻情報取得手段をさらに設けることができる。
【００１５】
現在位置情報取得手段は、ブラウザが起動された場合、現在位置情報を取得し、要求手段は、ブラウザが起動された場合、現在位置および現在時刻から選択されるサイトのコンテンツを要求するようにすることができる。
【００１６】
携帯電話機は、第２のサーバから送信された、現在位置および現在時刻とサイトのアドレスとの対応を示す対応データの受信を制御する第２の受信制御手段と、対応データ並びに現在位置および現在時刻を基に、サイトのアドレスを選択する選択手段とをさらに設け、要求手段は、選択手段によって選択されたサイトのアドレスを基に、サイトのコンテンツを要求するようにすることができる。
【００１７】
本発明の情報処理方法は、現在位置を示す現在位置情報を取得する現在位置情報取得ステップと、現在位置情報で示される現在位置および現在時刻から選択されるサイトのコンテンツを要求する要求ステップと、サーバから送信されたサイトのコンテンツの受信を制御する受信制御ステップとを含むことを特徴とする。
【００１８】
本発明の第１のプログラムは、現在位置を示す現在位置情報を取得する現在位置情報取得ステップと、現在位置情報で示される現在位置および現在時刻から選択されるサイトのコンテンツを要求する要求ステップと、サーバから送信されたサイトのコンテンツの受信を制御する受信制御ステップとを含む処理をコンピュータに実行させることを特徴とする。
【００１９】
本発明の第１の情報提供装置は、現在位置および現在時刻とサイトのアドレスとの対応を示す対応データの記憶を制御する記憶制御手段と、携帯電話機から送信された現在位置を示す現在位置情報の受信を制御する受信制御手段と、現在位置情報によって示される現在位置および現在時刻、並びに対応データを基に、サイトのアドレスを選択する選択手段と、サイトのアドレスおよびサイトのコンテンツのいずれか一方の携帯電話機への送信を制御する送信制御手段とを含むことを特徴とする。
【００２０】
本発明の第１の情報提供方法は、現在位置および現在時刻とサイトのアドレスとの対応を示す対応データの記憶を制御する記憶制御ステップと、携帯電話機から送信された現在位置を示す現在位置情報の受信を制御する受信制御ステップと、現在位置情報によって示される現在位置および現在時刻、並びに対応データを基に、サイトのアドレスを選択する選択ステップと、サイトのアドレスおよびサイトのコンテンツのいずれか一方の携帯電話機への送信を制御する送信制御ステップとを含むことを特徴とする。
【００２１】
本発明の第２のプログラムは、現在位置および現在時刻とサイトのアドレスとの対応を示す対応データの記憶を制御する記憶制御ステップと、携帯電話機から送信された現在位置を示す現在位置情報の受信を制御する受信制御ステップと、現在位置情報によって示される現在位置および現在時刻、並びに対応データを基に、サイトのアドレスを選択する選択ステップと、サイトのアドレスおよびサイトのコンテンツのいずれか一方の携帯電話機への送信を制御する送信制御ステップとをコンピュータに実行させることを特徴とする。
【００２２】
本発明の第２の情報提供装置は、現在位置および現在時刻とサイトのアドレスとの対応を示す対応データの記憶を制御する記憶制御手段と、携帯電話機から要求された場合、対応データの携帯電話機への送信を制御する送信制御手段とを含むことを特徴とする。
【００２３】
本発明の第２の情報提供方法は、現在位置および現在時刻とサイトのアドレスとの対応を示す対応データの記憶を制御する記憶制御ステップと、携帯電話機から要求された場合、対応データの携帯電話機への送信を制御する送信制御ステップとを含むことを特徴とする。
【００２４】
本発明の第３のプログラムは、現在位置および現在時刻とサイトのアドレスとの対応を示す対応データの記憶を制御する記憶制御ステップと、携帯電話機から要求された場合、対応データの携帯電話機への送信を制御する送信制御ステップとをコンピュータに実行させることを特徴とする。
【００２５】
本発明の携帯電話機、情報処理方法、および第１のプログラムにおいては、現在位置を示す現在位置情報が取得され、現在位置情報で示される現在位置および現在時刻から選択されるサイトのコンテンツが要求される。そして、第１のサーバから送信されたサイトのコンテンツが受信される。
【００２６】
携帯電話機は、独立した装置であっても良いし、端末装置の通信処理を行うブロックであっても良い。
【００２７】
本発明の第１の情報提供装置および方法、並びに第２のプログラムにおいては、現在位置および現在時刻とサイトのアドレスとの対応を示す対応データが記憶され、携帯電話機から送信された現在位置を示す現在位置情報が受信され、現在位置情報によって示される現在位置および現在時刻、並びに対応データを基に、サイトのアドレスが選択される。そして、サイトのアドレスおよびサイトのコンテンツのいずれか一方が携帯電話機に送信される。
【００２８】
本発明の第２の情報提供装置および方法、並びに第３のプログラムにおいては、現在位置および現在時刻とサイトのアドレスとの対応を示す対応データが記憶される、携帯電話機から要求された場合、対応データが携帯電話機に送信される。
【００２９】
送信とは、無線による送信および有線による送信は勿論、無線による送信と有線による送信とが混在した送信、即ち、ある区間では無線による送信が行われ、他の区間では有線による送信が行われるようなものであっても良い。さらに、ある装置から他の装置への送信が有線による送信で行われ、他の装置からある装置への送信が無線による送信で行われるようなものであっても良い。受信も同様である。
【００３０】
情報提供装置は、独立した装置であっても良いし、情報処理装置の情報提供処理を行うブロックであっても良い。
【００３１】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３３】
請求項１に記載の携帯電話機は、現在位置を示す現在位置情報を取得する現在位置情報取得手段（例えば、図２のＧＰＳ受信部１２）と、現在位置情報で示される現在位置および現在時刻から選択されるサイトのコンテンツを要求する要求手段（例えば、図２の送信部５３）と、第１のサーバから送信されたサイトのコンテンツの受信を制御する第１の受信制御手段（例えば、図２の受信部５４）とを含むことを特徴とする。
【００３４】
請求項１１に記載の情報提供装置は、現在位置および現在時刻とサイトのアドレスとの対応を示す対応データの記憶を制御する記憶制御手段（例えば、図３の記憶部１０８）と、携帯電話機から送信された現在位置を示す現在位置情報の受信を制御する受信制御手段（例えば、ステップＳ２０１の処理を実行する図３のＣＰＵ１０１）と、現在位置情報によって示される現在位置および現在時刻、並びに対応データを基に、サイトのアドレスを選択する選択手段（例えば、ステップＳ２０２の処理を実行する図３のＣＰＵ１０１）と、サイトのアドレスおよびサイトのコンテンツのいずれか一方の携帯電話機への送信を制御する送信制御手段（例えば、ステップＳ２０３の処理を実行する図３のＣＰＵ１０１）とを含むことを特徴とする。
【００３５】
請求項１４に記載の情報提供装置は、現在位置および現在時刻とサイトのアドレスとの対応を示す対応データの記憶を制御する記憶制御手段（例えば、図１３の記憶部３０８）と、携帯電話機から要求された場合、対応データの携帯電話機への送信を制御する送信制御手段（例えば、ステップＳ２５３の処理を実行する図１３のＣＰＵ３０１）とを含むことを特徴とする。
【００３６】
図２は、本発明に係る情報提供システムの一実施の形態の構成を示すブロック図である。情報提供システムは、携帯電話機１、ネットワーク４、サーバ５、およびサーバ６を含む。携帯電話機１は、基地局２、公衆回線網３、およびネットワーク４を介して、サーバ５またはサーバ６と接続される。
【００３７】
図２で示される情報提供システムにおいては、携帯電話機１が現在位置を示す現在位置情報を取得して、取得した現在位置情報を基地局２、公衆回線網３、およびネットワーク４を介して、サーバ５に送信する。現在位置情報を受信したサーバ５は、現在位置情報で示される携帯電話機１の現在位置、および内蔵しているリアルタイムクロックによって示される現在時刻を基に、所定のサイトのアドレスを選択して、選択したサイトのアドレスを基地局２、公衆回線網３、およびネットワーク４を介して、携帯電話機１に送信する。
【００３８】
サーバ６のサイトのアドレスを受信した携帯電話機１は、受信したアドレスを基に、基地局２、公衆回線網３、およびネットワーク４を介して、サーバ６にコンテンツを要求し、サーバ６から送信されたコンテンツを受信して、コンテンツを表示する。
【００３９】
基地局２は、いわゆる携帯電話システムの基地局であり、携帯電話機１と無線により通信し、携帯電話機１と公衆回線網３とを接続する。
【００４０】
公衆回線網３は、携帯電話機１および他の携帯電話機、並びにネットワークを接続する通信回線網である。ネットワーク４は、ＬＡＮ（Ｌｏｃａｌ  Ａｒｅａ  Ｎｅｔｗｏｒｋ）、インターネットなどを含む。ネットワーク４は、少なくとも２つの装置が接続され、ある装置から、他の装置に対して、情報の伝達をできるようにしたものであれば足りる。ネットワーク４を介して通信する装置は、独立した装置どうしであっても良いし、１つの装置を構成している内部ブロックどうしであっても良い。
【００４１】
携帯電話機１の構成をより詳細に説明すると、携帯電話機１は、通信部１１、ＧＰＳ（Ｇｌｏｂａｌ  Ｐｏｓｉｔｉｏｎｉｎｇ  Ｓｙｓｔｅｍ）受信部１２、およびＧＰＳアンテナ１３を含んで構成される。
【００４２】
携帯電話機１の通信部１１は、さらにアンテナ３１、基地局２、公衆回線網３、およびネットワーク４を介して、サーバ５またはサーバ６と通信する。通信部１１は、サーバ５に、現在位置情報およびサイトのアドレスの問い合わせを送信し、サーバ５から送信されたサイトのアドレスを受信する。また、通信部１１は、サーバ６に、サーバ５から受信したアドレスで示されるサイトのコンテンツを要求し、サーバ６から送信されるコンテンツを受信して、受信したコンテンツを表示する。
【００４３】
ＧＰＳ受信部１２は、ＧＰＳアンテナ１３で受信した、人工衛星から送信されたＧＰＳの情報を基に、現在位置を示す現在位置情報を生成することにより、現在位置を示す現在位置情報を取得し、取得した現在位置情報を通信部１１に供給する。
【００４４】
携帯電話機１の通信部１１は、アンテナ３１、送受信部３２、制御部３３、表示部３４、ＬＥＤ（Ｌｉｇｈｔ−Ｅｍｉｔｔｉｎｇ  Ｄｉｏｄｅ）３５、バイブレータ３６、リアルタイムクロック３７、メモリ３８、スピーカ３９、およびマイクロフォン４０を含んで構成される。送受信部３２は、アンテナ３１を介して、基地局２と音声またはコンテンツなどのデータを送受信する。
【００４５】
制御部３３は、通信部１１全体を制御する。表示部３４は、液晶表示装置または有機ＥＬ（ｅｌｅｃｔｒｏｌｕｍｉｎｅｓｃｅｎｃｅ）表示装置などからなり、制御部３３から供給されたデータを基に、文字または図形を表示する。例えば、表示部３４は、制御部３３から供給されたデータを基に、コンテンツであるメニューなどを表示する。
【００４６】
ＬＥＤ３５は、制御部３３の制御の基に、消灯するか、点灯するか、または点滅する。バイブレータ３６は、制御部３３の制御の基に、振動を発生させる。リアルタイムクロック３７は、いわゆる時計であり、現在時刻を示す現在時刻情報を制御部３３に供給する。
【００４７】
メモリ３８は、ＲＯＭ（Ｒｅａｄ−Ｏｎｌｙ  Ｍｅｍｏｒｙ）またはＲＡＭ（Ｒａｎｄｏｍ−Ａｃｃｅｓｓ  Ｍｅｍｏｒｙ）などの、いわゆる半導体メモリである。メモリ３８は、制御部３３が実行するプログラムまたはプログラムの実行に必要なパラメータを記憶する。さらに、メモリ３８は、サーバ６から受信したコンテンツを記憶する。
【００４８】
スピーカ３９は、制御部３３から供給された信号を基に、音声を出力する。例えば、スピーカ３９は、携帯電話機１の使用者と図示せぬ他の携帯電話機の使用者とが通話するとき、公衆回線網３および基地局２を介して受信した音声のデータを基に、他の携帯電話機の使用者の音声を出力する。また、スピーカ３９は、サーバ６から受信したコンテンツを基に音声を出力する。
【００４９】
マイクロフォン４０は、携帯電話機１の使用者の音声を取得し、取得した音声を制御部３３に供給する。
【００５０】
制御部３３は、より詳細には、ＣＰＵ（Ｃｅｎｔｒａｌ  Ｐｒｏｃｅｓｓｉｎｇ  Ｕｎｉｔ）５１および外部インターフェース５２を含んで構成される。ＣＰＵ５１は、メモリ３８に記憶されているプログラムを実行して、通信部１１を制御する。ＣＰＵ５１は、いわゆるエンベデットコンピュータとし、内部にＲＯＭおよびＲＡＭを設けて、これに記憶されているプログラムを実行するようにしてもよい。外部インターフェース５２は、ＧＰＳ受信部１２、送受信部３２、および表示部３４乃至マイクロフォン４０の間でデータを送信または受信するためのインターフェースである。
【００５１】
制御部３３には、さらにドライブ１４が接続される。ドライブ１４は、装着された磁気ディスク７１、光ディスク７２、光磁気ディスク７３、または半導体メモリ７４に記録されているプログラムを読み出して、制御部３３に供給する。
【００５２】
送受信部３２は、より詳細には、送信部５３および受信部５４を含む。送信部５３は、制御部３３の制御の基に、現在位置情報を基地局２、公衆回線網３、およびネットワーク４を介して、サーバ５に送信する。また、送信部５３は、制御部３３の制御の基に、基地局２、公衆回線網３、およびネットワーク４を介して、サーバ６にコンテンツを要求する（要求を送信する）。
【００５３】
受信部５４は、制御部３３の制御の基に、サーバ５から送信されたサイトのアドレスを受信する。受信部５４は、制御部３３の制御の基に、サーバ６から送信されたコンテンツを受信する。
【００５４】
図３は、サーバ５の構成の例を示すブロック図である。ＣＰＵ１０１は、ＲＯＭ１０２、または記憶部１０８に記憶されているプログラムに従って各種の処理を実行する。ＲＡＭ１０３には、ＣＰＵ１０１が実行するプログラムやデータなどが適宜記憶される。これらのＣＰＵ１０１、ＲＯＭ１０２、およびＲＡＭ１０３は、バス１０４により相互に接続されている。
【００５５】
ＣＰＵ１０１にはまた、バス１０４を介して入出力インタフェース１０５が接続されている。入出力インタフェース１０５には、キーボード、マウス、マイクロフォンなどよりなる入力部１０６、ディスプレイ、スピーカなどよりなる出力部１０７が接続されている。ＣＰＵ１０１は、通信部１０９で受信されたデータまたは入力部１０６から入力される指令に対応して各種の処理を実行する。そして、ＣＰＵ１０１は、処理の結果得られた画像や音声等を出力部１０７に出力するか、処理の結果に基づいて、記憶部１０８および通信部１０９を制御する。
【００５６】
入出力インタフェース１０５に接続されている記憶部１０８は、例えばハードディスクなどで構成され、ＣＰＵ１０１が実行するプログラムや、対応テーブル１２１などの各種のデータを記憶する。対応テーブル１２１については、後述する。通信部１０９は、ネットワーク４などを介して、携帯電話機１などの外部の装置と通信する。
【００５７】
通信部１０９は、送信部１２２および受信部１２３を含む。送信部１２２は、ＣＰＵ１０１の制御の基に、ネットワーク４、公衆回線網３、および基地局２を介して、サイトのアドレスを携帯電話機１に送信するか、または、コンテンツを携帯電話機１に送信する。受信部１２３は、ＣＰＵ１０１の制御の基に、携帯電話機１から送信された現在位置情報を受信する。
【００５８】
また、通信部１０９を介してプログラムを取得し、記憶部１０８に記憶してもよい。
【００５９】
リアルタイムクロック１１０は、いわゆる時計であり、現在時刻を示す現在時刻情報を入出力インターフェース１０５およびバス１０４を介して、ＣＰＵ１０１に供給する。
【００６０】
入出力インタフェース１０５に接続されているドライブ１１１は、磁気ディスク１３１、光ディスク１３２、光磁気ディスク１３３、或いは半導体メモリ１３４などが装着されたとき、それらを駆動し、そこに記録されているプログラムやデータなどを取得する。取得されたプログラムやデータは、必要に応じて記憶部１０８に転送され、記憶される。
【００６１】
図４は、記憶部１０８に記憶されている対応テーブル１２１を説明する図である。対応テーブル１２１には、現在位置、現在時刻、およびサイトのアドレスが、現在位置および現在時刻とサイトのアドレスとが対応するように、格納されている。アドレスは、例えば、ＵＲＬ（Ｕｎｉｆｏｒｍ  Ｒｅｓｏｕｒｃｅ  Ｌｏｃａｔｏｒ）で記述される。
【００６２】
例えば、図４で示す例において、対応テーブル１２１には、”東京”である現在位置および”６：００乃至１８：００”である時刻に対応して、”ｗｗｗ．ａｉｍｏｄｅ．ｃｏｍ／ｔｏｐ＿ｔｏｋｙｏ．ｈｔｍｌ”であるサイトのアドレスが格納され、また、”東京”である現在位置および”１８：００乃至６：００”である時刻に対応して、”ｗｗｗ．ａｉｍｏｄｅ．ｃｏｍ／ｔｏｐ＿ｔｏｋｙｏ＿ＮＩＧＨＴ．ｈｔｍｌ”であるサイトのアドレスが格納されている。さらに、対応テーブル１２１には、”大阪”である現在位置および”６：００乃至１８：００”である時刻に対応して、”ｗｗｗ．ａｉｍｏｄｅ．ｃｏｍ／ｔｏｐ＿ｏｓａｋａ．ｈｔｍｌ”であるサイトのアドレスが格納され、また、”大阪”である現在位置および”１８：００乃至６：００”である時刻に対応して、”ｗｗｗ．ａｉｍｏｄｅ．ｃｏｍ／ｔｏｐ＿ｏｓａｋａ＿ＮＩＧＨＴ．ｈｔｍｌ”であるサイトのアドレスが格納されている。さらにまた、対応テーブル１２１には、”ロンドン”である現在位置および”終日”である時刻に対応して、”ｗｗｗ．ａｉｍｏｄｅ．ｃｏｍ／ｔｏｐ＿Ｌｏｎｄｏｎ．ｈｔｍｌ”であるサイトのアドレスが格納されている。
【００６３】
サーバ５は、対応テーブル１２１を利用することにより、現在位置および現在時刻に対するサイトのアドレスを選択することができる。
【００６４】
図５は、サーバ６の構成の例を示すブロック図である。ＣＰＵ１５１は、ＲＯＭ１５２、または記憶部１５８に記憶されているプログラムに従って各種の処理を実行する。ＲＡＭ１５３には、ＣＰＵ１５１が実行するプログラムやデータなどが適宜記憶される。これらのＣＰＵ１５１、ＲＯＭ１５２、およびＲＡＭ１５３は、バス１５４により相互に接続されている。
【００６５】
ＣＰＵ１５１にはまた、バス１５４を介して入出力インタフェース１５５が接続されている。入出力インタフェース１５５には、キーボード、マウス、マイクロフォンなどよりなる入力部１５６、ディスプレイ、スピーカなどよりなる出力部１５７が接続されている。ＣＰＵ１５１は、通信部１５９で受信されたデータまたは入力部１５６から入力される指令に対応して各種の処理を実行する。そして、ＣＰＵ１５１は、処理の結果得られた画像や音声等を出力部１５７に出力するか、処理の結果に基づいて、記憶部１５８および通信部１５９を制御する。
【００６６】
入出力インタフェース１５５に接続されている記憶部１５８は、例えばハードディスクなどで構成され、ＣＰＵ１５１が実行するプログラムや、サイト毎のコンテンツなどの各種のデータを記憶する。通信部１５９は、ネットワーク４などを介して、携帯電話機１などの外部の装置と通信する。
【００６７】
図６は、ブラウザプログラムを起動させた携帯電話機１、ＣＰＵ１０１にアドレス提供プログラムを実行させているサーバ５、およびＣＰＵ１５１にコンテンツ提供プログラムを実行させているサーバ６の処理を説明するフローチャートである。
【００６８】
ステップＳ１０１において、ブラウザプログラムが起動されたとき、携帯電話機１のＣＰＵ５１により実行されているブラウザプログラムは、ＧＰＳ受信部１２から供給される、携帯電話機１の現在位置を示す現在位置情報を取得する。ステップＳ１０２において、ブラウザプログラムは、送信部５３に、基地局２、公衆回線網３、およびネットワーク４を介して、サーバ５宛に、現在位置情報、およびトップページアドレスの問い合わせを送信させる。
【００６９】
ステップＳ２０１において、サーバ５において実行されているアドレス提供プログラムは、通信部１０９の受信部１２３に、携帯電話機１から送信された、現在位置情報、およびトップページアドレスの問い合わせを受信させる。ステップＳ２０２において、アドレス提供プログラムは、対応テーブル１２１に記述されている現在位置および現在時刻、対応するサイトのアドレスを基に、現在位置情報で示される現在位置、およびリアルタイムクロック１１０から供給される現在時刻情報で示される現在時刻に対応するアドレスをトップページのアドレスとして選択する。
【００７０】
なお、ステップＳ２０２の処理で、緯度および経度からなる現在位置情報を受信したとき、アドレス提供プログラムは、予め記憶されている現在位置情報変換テーブルを基に、緯度および経度を、東京または大阪などの地域の名称からなる現在位置情報に変換して、変換された現在位置情報を基に、トップページのアドレスを選択する。緯度および経度からなる現在位置情報を地域の名称からなる現在位置情報に変換する変換処理は、携帯電話機１が実行するようにしてもよい。
【００７１】
ステップＳ２０３において、アドレス提供プログラムは、送信部１２２に、基地局２、公衆回線網３、およびネットワーク４を介して、携帯電話機１宛に、トップページのアドレスを送信させる。
【００７２】
ステップＳ１０３において、ブラウザプログラムは、送受信部３２の受信部５４に、サーバ５から送信された、トップページのアドレスを受信させる。ステップＳ１０４において、ブラウザプログラムは、ステップＳ１０３の処理で受信したアドレスを基に、トップページのＷｅｂサイトに接続する。すなわち、ブラウザプログラムは、送受信部３２の送信部５３に、基地局２、公衆回線網３、およびネットワーク４を介して、サーバ６宛に、トップページのアドレスで示されるサイトのコンテンツの要求を送信させる。
【００７３】
ステップＳ３０１において、サーバ６において実行されているコンテンツ提供プログラムは、通信部１５９に、携帯電話機１から送信されたコンテンツの要求を受信させ、基地局２、公衆回線網３、およびネットワーク４を介して、携帯電話機１宛に、要求されたトップページのコンテンツを送信させる。
【００７４】
ステップＳ１０５において、ブラウザプログラムは、送受信部３２の受信部５４に、サーバ６から送信された、トップページのコンテンツを受信させる。ステップＳ１０６において、ブラウザプログラムは、ステップＳ１０５の処理で受信したコンテンツを基に、表示部３４にトップページを表示させて、処理は終了する。
【００７５】
図６のフローチャートを参照して説明した処理により、携帯電話機１は、現在位置および現在時刻毎に、異なるトップメニューを表示することができるようになる。例えば、東京で、６：００乃至１８：００の間に、携帯電話機１のブラウザプログラムを起動させた場合、携帯電話機１は、図７で示されるように、表示部３４に、”１．マイメニュー”、”２．東京タウン情報”、”３．首都圏ニュース”、”４．東京レストラン検索”、”５．お知らせ”、および”６．利用明細”からなるトップメニューを表示させる。
【００７６】
例えば、大阪で、６：００乃至１８：００の間に、携帯電話機１のブラウザプログラムを起動させた場合、携帯電話機１は、図８で示されるように、表示部３４に、”１．マイメニュー”、”２．大阪タウン情報”、”３．関西圏ニュース”、”４．大阪食いだおれ検索”、”５．お知らせ”、および”６．利用明細”からなるトップメニューを表示させる。また、例えば、東京で、１８：００乃至６：００の間に、携帯電話機１のブラウザプログラムを起動させた場合、携帯電話機１は、図９で示されるように、表示部３４に、”１．マイメニュー”、”４．深夜営業店検索”、”５．終電検索”、”２．東京ナイト情報”、”３．首都圏ニュース”、および”６．利用明細”からなるトップメニューを表示させる。
【００７７】
さらに、例えば、ロンドンで、６：００乃至１８：００の間に、携帯電話機１のブラウザプログラムを起動させた場合、携帯電話機１は、図１０で示されるように、表示部３４に、”１．マイメニュー”、”２．Ｌｏｎｄｏｎ  ｉｎｆｏｒｍａｔｉｏｎ”、”３．大使館よりお知らせ”、”４．Ｓｅａｒｃｈ  Ｌｏｎｄｏｎ  ｒｅｓｔａｕｒａｎｔ”、”５．お知らせ”、および”６．利用明細”からなるトップメニューを表示させる。
【００７８】
このように、図６のフローチャートを参照して説明した処理によれば、携帯電話機１は、現在位置および現在時刻毎に、異なるトップメニューを表示することができる。
【００７９】
図１１は、ブラウザプログラムを起動させた携帯電話機１、ＣＰＵ１０１にトップページコンテンツ提供プログラムを実行させているサーバ５、およびＣＰＵ１５１にコンテンツ提供プログラムを実行させているサーバ６の他の処理を説明するフローチャートである。
【００８０】
ステップＳ１２１において、ブラウザプログラムが起動されたとき、携帯電話機１のＣＰＵ５１により実行されているブラウザプログラムは、ＧＰＳ受信部１２から供給される、携帯電話機１の現在位置を示す現在位置情報を取得する。ステップＳ１２２において、ブラウザプログラムは、送信部５３に、基地局２、公衆回線網３、およびネットワーク４を介して、サーバ５宛に、現在位置情報、およびトップページのコンテンツの要求を送信させる。
【００８１】
ステップＳ２２１において、サーバ５において実行されているトップページコンテンツ提供プログラムは、通信部１０９の受信部１２３に、携帯電話機１から送信された、現在位置情報、およびトップページのコンテンツの要求を受信させる。ステップＳ２２２において、トップページコンテンツ提供プログラムは、対応テーブル１２１に記述されている現在位置および現在時刻、対応するサイトのアドレスを基に、現在位置情報で示される現在位置、およびリアルタイムクロック１１０から供給される現在時刻情報で示される現在時刻に対応するアドレスをトップページのアドレスとして選択する。
【００８２】
なお、ステップＳ２２２の処理で、緯度および経度からなる現在位置情報を受信したとき、トップページコンテンツ提供プログラムは、記憶している現在位置情報変換テーブルを基に、緯度および経度を、東京または大阪などの地域名からなる現在位置情報に変換して、変換された現在位置情報を基に、トップページのアドレスを選択する。
【００８３】
ステップＳ２２３において、トップページコンテンツ提供プログラムは、通信部１０９に、ステップＳ１２２の処理で選択したアドレスを基に、トップページのＷｅｂサイトに接続させる。すなわち、トップページコンテンツ提供プログラムは、通信部１０９の送信部１２２に、基地局２、公衆回線網３、およびネットワーク４を介して、サーバ６宛に、トップページのアドレスで示されるサイトのコンテンツを要求する。
【００８４】
ステップＳ３２１において、サーバ６において実行されているコンテンツ提供プログラムは、通信部１５９に、サーバ５から送信されたコンテンツの要求を受信させ、基地局２、公衆回線網３、およびネットワーク４を介して、サーバ５宛に、要求されたトップページのコンテンツを送信させる。
【００８５】
ステップＳ２２４において、トップページコンテンツ提供プログラムは、通信部１０９の受信部１２３に、サーバ６から送信された、トップページのコンテンツを受信させる。ステップＳ２２５において、トップページコンテンツ提供プログラムは、通信部１０９の送信部１２２に、基地局２、公衆回線網３、およびネットワーク４を介して、携帯電話機１宛に、トップページのコンテンツを送信させる。
【００８６】
ステップＳ１２３において、ブラウザプログラムは、送受信部３２の受信部５４に、サーバ５から送信された、トップページのコンテンツを受信させる。ステップＳ１２４において、ブラウザプログラムは、ステップＳ１２３の処理で受信したコンテンツを基に、表示部３４にトップページを表示させて、処理は終了する。
【００８７】
図１１のフローチャートを参照して説明した処理によれば、図６のフローチャートを参照して説明した処理に比較して、携帯電話機１は、より少ない処理で、現在位置および現在時刻毎に、異なるトップメニューを表示することができる。また、トップページアドレスの選択の処理を、携帯電話機１に比較してより処理能力の高いサーバ５が行うので、トップページアドレスの選択の処理をより迅速に行うことができるようになり、その結果、より迅速に、現在位置および現在時刻毎に、異なるトップメニューを表示することができるようになる。
【００８８】
図１２は、本発明に係る情報提供システムの一実施の形態の他の構成を示すブロック図である。図２に示す場合と同様の部分には同一の番号を付してあり、その説明は省略する。
【００８９】
図１２で構成が示される情報提供システムは、携帯電話機２０１、ネットワーク４、サーバ２０２、およびサーバ６を含む。携帯電話機２０１は、基地局２、公衆回線網３、およびネットワーク４を介して、サーバ２０２またはサーバ６と接続される。
【００９０】
図１２で示される情報提供システムにおいては、携帯電話機２０１が、基地局２、公衆回線網３、およびネットワーク４を介して、サーバ２０２から対応テーブルを取得する。そして、携帯電話機２０１は、現在位置を示す現在位置情報を取得すると共に、内蔵しているリアルタイムクロックから現在時刻を示す現在時刻情報を取得し、現在位置および現在時刻を基に、所定のサイトのアドレスを選択する。
【００９１】
さらに、携帯電話機２０１は、基地局２、公衆回線網３、およびネットワーク４を介して、選択したサイトのアドレスを基に、サーバ６にコンテンツを要求し、サーバ６から送信されたコンテンツを受信して、コンテンツを表示する。
【００９２】
携帯電話機２０１の構成をより詳細に説明すると、携帯電話機２０１は、通信部２１１、ＧＰＳ受信部２１２、およびＧＰＳアンテナ２１３を含んで構成される。
【００９３】
携帯電話機２０１の通信部２１１は、アンテナ２３１、基地局２、公衆回線網３、およびネットワーク４を介して、サーバ２０２またはサーバ６と通信する。通信部２１１は、サーバ２０２に、対応テーブルを要求し、サーバ２０２から送信された対応テーブルを受信する。
【００９４】
また、通信部２１１は、サーバ６に、選択したアドレスで示されるサイトのコンテンツを要求し、サーバ６から送信されるコンテンツを受信する。
【００９５】
ＧＰＳ受信部２１２は、ＧＰＳアンテナ２１３で受信した、人工衛星から送信されたＧＰＳの情報を基に、現在位置を示す現在位置情報を生成することにより、現在位置を示す現在位置情報を取得し、取得した現在位置情報を通信部２１１に供給する。
【００９６】
携帯電話機２０１の通信部２１１は、アンテナ２３１、送受信部２３２、制御部２３３、表示部２３４、ＬＥＤ２３５、バイブレータ２３６、リアルタイムクロック２３７、メモリ２３８、スピーカ２３９、およびマイクロフォン２４０を含んで構成される。送受信部２３２は、アンテナ２３１を介して、基地局２と音声またはコンテンツなどのデータを送受信する。
【００９７】
制御部２３３は、通信部２１１全体を制御する。表示部２３４は、液晶表示装置または有機ＥＬ表示装置などからなり、制御部２３３から供給されたデータを基に、文字または図形を表示する。例えば、表示部２３４は、制御部２３３から供給されたデータを基に、コンテンツであるメニューなどを表示する。
【００９８】
ＬＥＤ２３５は、制御部２３３の制御の基に、消灯するか、点灯するか、または点滅する。バイブレータ２３６は、制御部２３３の制御の基に、振動を発生させる。リアルタイムクロック２３７は、いわゆる時計であり、現在時刻を示す現在時刻情報を制御部２３３に供給する。
【００９９】
メモリ２３８は、ＲＯＭまたはＲＡＭなどの、いわゆる半導体メモリである。メモリ２３８は、制御部２３３が実行するプログラムまたはプログラムの実行に必要なパラメータを記憶する。さらに、メモリ２３８は、サーバ６から受信したコンテンツを記憶する。送受信部２３２によって受信された対応テーブルは、メモリ２３８に、対応テーブル２６１として記憶される。また、送受信部２３２によって受信されたコンテンツは、メモリ２３８に記憶される。
【０１００】
スピーカ２３９は、制御部２３３から供給された信号を基に、音声を出力する。例えば、スピーカ２３９は、携帯電話機２０１の使用者と図示せぬ他の携帯電話機の使用者とが通話するとき、公衆回線網３および基地局２を介して受信した音声のデータを基に、他の携帯電話機の使用者の音声を出力する。また、スピーカ２３９は、サーバ６から受信したコンテンツを基に音声を出力する。
【０１０１】
マイクロフォン２４０は、携帯電話機２０１の使用者の音声を取得し、取得した音声を制御部２３３に供給する。
【０１０２】
制御部２３３は、より詳細には、ＣＰＵ２５１および外部インターフェース２５２を含んで構成される。ＣＰＵ２５１は、メモリ２３８に記憶されているプログラムを実行して、通信部２１１を制御する。ＣＰＵ２５１は、いわゆるエンベデットコンピュータとし、内部にＲＯＭおよびＲＡＭを設けて、これに記憶されているプログラムを実行するようにしてもよい。外部インターフェース２５２は、ＧＰＳ受信部２１２、送受信部２３２、および表示部２３４乃至マイクロフォン２４０の間でデータを送信または受信するためのインターフェースである。
【０１０３】
制御部２３３には、さらにドライブ２１４が接続される。ドライブ２１４は、装着された磁気ディスク２７１、光ディスク２７２、光磁気ディスク２７３、または半導体メモリ２７４に記録されているプログラムを読み出して、制御部２３３に供給する。
【０１０４】
送受信部２３２は、より詳細には、送信部２５３および受信部２５４を含む。送信部２５３は、制御部２３３の制御の基に、基地局２、公衆回線網３、およびネットワーク４を介して、サーバ２０２に対応テーブルを要求する（要求を送信する）。また、送信部２５３は、制御部２３３の制御の基に、基地局２、公衆回線網３、およびネットワーク４を介して、サーバ６にコンテンツを要求する（要求を送信する）。
【０１０５】
受信部２５４は、制御部２３３の制御の基に、サーバ２０２から送信された対応テーブルを受信する。受信部２５４は、制御部２３３の制御の基に、サーバ６から送信されたコンテンツを受信する。
【０１０６】
図１３は、サーバ２０２の構成の例を示すブロック図である。ＣＰＵ３０１は、ＲＯＭ３０２、または記憶部３０８に記憶されているプログラムに従って各種の処理を実行する。ＲＡＭ３０３には、ＣＰＵ３０１が実行するプログラムやデータなどが適宜記憶される。これらのＣＰＵ３０１、ＲＯＭ３０２、およびＲＡＭ３０３は、バス３０４により相互に接続されている。
【０１０７】
ＣＰＵ３０１にはまた、バス３０４を介して入出力インタフェース３０５が接続されている。入出力インタフェース３０５には、キーボード、マウス、マイクロフォンなどよりなる入力部３０６、ディスプレイ、スピーカなどよりなる出力部３０７が接続されている。ＣＰＵ３０１は、通信部３０９で受信されたデータまたは入力部３０６から入力される指令に対応して各種の処理を実行する。そして、ＣＰＵ３０１は、処理の結果得られた画像や音声等を出力部３０７に出力するか、処理の結果に基づいて、記憶部３０８および通信部３０９を制御する。
【０１０８】
入出力インタフェース３０５に接続されている記憶部３０８は、例えばハードディスクなどで構成され、ＣＰＵ３０１が実行するプログラムや、対応テーブル３２１などの各種のデータを記憶する。対応テーブル３２１は、対応テーブル１２１と同様に構成されるので、その説明は省略する。
【０１０９】
通信部３０９は、ネットワーク４などを介して、携帯電話機２０１などの外部の装置と通信する。
【０１１０】
通信部３０９は、送信部３２２および受信部３２３を含む。送信部３２２は、ＣＰＵ３０１の制御の基に、ネットワーク４、公衆回線網３、および基地局２を介して、対応テーブル３２１を携帯電話機２０１に送信する。受信部３２３は、ＣＰＵ３０１の制御の基に、携帯電話機２０１から送信された対応テーブル３２１の要求を受信する。
【０１１１】
また、通信部３０９を介してプログラムを取得し、記憶部３０８に記憶してもよい。
【０１１２】
入出力インタフェース３０５に接続されているドライブ３１０は、磁気ディスク３３１、光ディスク３３２、光磁気ディスク３３３、或いは半導体メモリ３３４などが装着されたとき、それらを駆動し、そこに記録されているプログラムやデータなどを取得する。取得されたプログラムやデータは、必要に応じて記憶部３０８に転送され、記憶される。
【０１１３】
次に、携帯電話機２０１が、対応テーブル２６１を取得する処理を説明する。図１４は、ＣＰＵ２５１に対応テーブル受信プログラムを実行させている携帯電話機２０１、ＣＰＵ３０１に対応テーブル提供プログラムを実行させているサーバ２０２、およびＣＰＵ１５１にコンテンツ提供プログラムを実行させているサーバ６の処理を説明するフローチャートである。
【０１１４】
ステップＳ１５１において、携帯電話機２０１において実行されている対応テーブル受信プログラムは、送信部２５３に、基地局２、公衆回線網３、およびネットワーク４を介して、サーバ２０２宛に、対応テーブルの要求を送信させる。
【０１１５】
ステップＳ２５１において、サーバ２０２において実行されている対応テーブル提供プログラムは、通信部３０９の受信部３２３に、携帯電話機２０１から送信された、対応テーブルの要求を受信させる。ステップＳ２５２において、対応テーブル提供プログラムは、記憶部３０８に記憶されている対応テーブル３２１を読み出す。ステップＳ２５３において、対応テーブル提供プログラムは、通信部３０９の送信部３２２に、ネットワーク４、公衆回線網３、および基地局２を介して、携帯電話機２０１宛に、対応テーブル３２１を送信させる。
【０１１６】
ステップＳ１５２において、対応テーブル受信プログラムは、送受信部２３２の受信部２５４に、サーバ２０２から送信された、対応テーブル３２１を受信させる。ステップＳ１５３において、対応テーブル受信プログラムは、ステップＳ１５２の処理で受信した対応テーブル３２１を、メモリ２３８に対応テーブル２６１として記憶させ、処理は終了する。
【０１１７】
このように、携帯電話機２０１は、サーバ２０２から、対応テーブル２６１を取得することができる。また、サーバ２０２は、対応テーブル３２１を携帯電話機２０１に提供することができる。
【０１１８】
なお、対応テーブル２６１を取得する処理は、携帯電話機２０１がブラウザプログラムを起動する前に実行すればよく、ブラウザプログラムの起動の度に実行する必要はない。
【０１１９】
次に、対応テーブル２６１を記憶している携帯電話機２０１による、トップページであるコンテンツの取得の処理を説明する。図１５は、ブラウザプログラムを起動させた携帯電話機２０１、ＣＰＵ３０１に対応テーブル提供プログラムを実行させているサーバ２０２、およびＣＰＵ１５１にコンテンツ提供プログラムを実行させているサーバ６の処理を説明するフローチャートである。
【０１２０】
ステップＳ１７１において、ブラウザプログラムの起動により、携帯電話機１のＣＰＵ２５１により実行されているブラウザプログラムは、ＧＰＳ受信部２１２から供給される、携帯電話機２０１の現在位置を示す現在位置情報を取得すると共に、リアルタイムクロック２３７から供給される、現在時刻を示す現在時刻情報を取得する。ステップＳ１７２において、ブラウザプログラムは、対応テーブル２６１に記述されている現在位置および現在時刻、対応するサイトのアドレスを基に、現在位置情報で示される現在位置、および現在時刻情報で示される現在時刻に対応するアドレスをトップページのアドレスとして選択する。
【０１２１】
なお、ステップＳ１７２の処理で、緯度および経度からなる現在位置情報を取得したとき、ブラウザプログラムは、記憶している現在位置情報変換テーブルを基に、緯度および経度を、東京または大阪などの地域名からなる現在位置情報に変換して、変換された現在位置情報を基に、トップページのアドレスを選択する。
【０１２２】
ステップＳ１７３において、ブラウザプログラムは、ステップＳ１７２の処理で選択したアドレスを基に、トップページのＷｅｂサイトに接続する。すなわち、ブラウザプログラムは、送受信部２３２の送信部２５３に、基地局２、公衆回線網３、およびネットワーク４を介して、サーバ６宛に、トップページのアドレスで示されるサイトのコンテンツの送信を要求する。
【０１２３】
ステップＳ３７１において、サーバ６において実行されているコンテンツ提供プログラムは、通信部１５９に、携帯電話機２０１から送信されたコンテンツの送信の要求を受信させ、基地局２、公衆回線網３、およびネットワーク４を介して、携帯電話機２０１宛に、送信が要求されたトップページのコンテンツを送信させる。
【０１２４】
ステップＳ１７４において、ブラウザプログラムは、送受信部２３２の受信部２５４に、サーバ６から送信された、トップページのコンテンツを受信させる。ステップＳ１７５において、ブラウザプログラムは、ステップＳ１７４の処理で受信したコンテンツを基に、表示部２３４にトップページを表示させて、処理は終了する。
【０１２５】
このように、携帯電話機２０１は、現在位置および現在時刻を基に、トップページを選択して、選択したトップページを表示することができる。
【０１２６】
以上のように、場所および時刻に応じたトップページが表示されるので、携帯電話機１または携帯電話機２０１の使用者は、迅速に所望のサイトのコンテンツを呈示することができる。換言すれば、携帯電話機１または携帯電話機２０１には、トップページとして使用者の居場所と時刻とに応じた、サイトのコンテンツが表示されるので、使用者にとって、必要な情報が表示される可能性が高くなる。
【０１２７】
また、Ｗｅｂサイトの提供者にとっても、携帯電話機１または携帯電話機２０１の使用者に閲覧してもらいたいサイトへのリンクがトップページに記述されることにより、自己のサイトのアクセスの頻度（アクセスされる確率）を上げることができるという利益がある。また、携帯電話回線提供者にとっては、場所および時刻毎に、多数のサイトへのリンクをトップページに記述できるようになるという利益がある。
【０１２８】
このように、サーバから送信されたサイトのコンテンツを受信するようにした場合には、所望のサイトを呈示することができる。また、現在位置を示す現在位置情報を取得し、現在位置情報で示される現在位置および現在時刻から選択されるサイトのコンテンツを要求し、サーバから送信されたサイトのコンテンツの受信を制御するようにした場合には、場所や時刻に応じて、所望のサイトをより迅速に呈示することができる。
【０１２９】
また、現在位置および現在時刻とサイトのアドレスとの対応を示す対応データの記憶を制御し、携帯電話機から送信された現在位置を示す現在位置情報の受信を制御し、現在位置情報によって示される現在位置および現在時刻、並びに対応データを基に、サイトのアドレスを選択し、サイトのアドレスおよびサイトのコンテンツのいずれか一方の携帯電話機への送信を制御するようにした場合には、携帯電話機において、場所や時刻に応じて、所望のサイトをより迅速に呈示することができる。
【０１３０】
さらに、現在位置および現在時刻とサイトのアドレスとの対応を示す対応データの記憶を制御し、携帯電話機から要求された場合、対応データの携帯電話機への送信を制御するようにした場合には、携帯電話機において、場所や時刻に応じて、所望のサイトをより迅速に呈示することができる。
【０１３１】
なお、現在位置情報は、ＧＰＳ受信部１２またはＧＰＳ受信部２１２が取得すると説明したが、これに限らず、送受信部３２または送受信部２３２が、基地局２から受信するようにしてもよい。この場合、基地局２は、基地局２の位置を示す基地局位置情報を送信し、送受信部３２または送受信部２３２は、基地局２から送信された、基地局２の位置を示す基地局位置情報を受信することによって、現在位置情報としての基地局位置情報を取得する。
【０１３２】
また、基地局２が基地局２の位置を示す基地局位置情報を有し、サーバ５が対応テーブル１２１を記憶している場合、基地局２がサーバ５に、携帯電話機１の現在位置を示す現在位置情報として、基地局位置情報を送信するようにしてもよい。
【０１３３】
なお、サーバ５およびサーバ６、またはサーバ２０２およびサーバ６は、１つのコンピュータによって実現されるようにしてもよい。この場合、図６で示される処理において、サーバ５は、携帯電話機１にアドレスを送信する必要がない。
【０１３４】
また、携帯電話機１または携帯電話機２０１がコンテンツを表示（呈示）すると説明したが、携帯電話機に限らず、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）の端末装置、またはパーソナルコンピュータなどネットワーク４に接続できる機器であればよい。
【０１３５】
なお、以上で説明した処理は、ノート型パーソナルコンピュータまたはＰＤＡなどの携帯端末装置を、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂなどの規格に準拠する無線ＬＡＮ（Ｌｏｃａｌ−Ａｒｅａ  Ｎｅｔｗｏｒｋ）機能を用いて、ホットスポットのアクセスポイントに接続させた場合に、実行させることができる。この場合の処理は、携帯電話機を携帯端末装置に置き換え、基地局をアクセスポイントに置き換えて考えればよい。
【０１３６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３７】
この記録媒体は、図２、図３、図１２、または図１３に示すように、コンピュータとは別に、ユーザにプログラムを提供するために配布される、プログラムが記録されている磁気ディスク７１、磁気ディスク１３１、磁気ディスク２７１、若しくは磁気ディスク３３１（フレキシブルディスクを含む）、光ディスク７２、光ディスク１３２、光ディスク２７２、若しくは光ディスク３３２（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）を含む）、光磁気ディスク７３、光磁気ディスク１３３、光磁気ディスク２７３、若しくは光磁気ディスク３３３（ＭＤ（Ｍｉｎｉ−Ｄｉｓｃ）（商標）を含む）、若しくは半導体メモリ７４、半導体メモリ１３４、半導体メモリ２７４、若しくは半導体メモリ３３４などよりなるパッケージメディアにより構成されるだけでなく、コンピュータに予め組み込まれた状態でユーザに提供される、ＣＰＵ５１若しくはＣＰＵ２５１に内蔵されているプログラムが記録されているＲＯＭや、メモリ３８若しくはメモリ２３８などで構成される。
【０１３８】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０１３９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４０】
なお、本明細書において、システムとは、複数の装置により構成される装置全体を表すものである。
【０１４１】
【発明の効果】
以上のように、本発明によれば、所望のサイトを呈示することができる。
【０１４２】
また、本発明によれば、場所や時刻に応じて、所望のサイトをより迅速に呈示することができる。
【図面の簡単な説明】
【図１】従来の携帯電話機が表示するトップページの例を示す図である。
【図２】本発明に係る情報提供システムの一実施の形態の構成を示すでブロック図である。
【図３】サーバ５の構成の例を示すブロック図である。
【図４】対応テーブル１２１を説明する図である。
【図５】サーバ６の構成の例を示すブロック図である。
【図６】ブラウザプログラムを起動させた携帯電話機１にトップページを表示させる、情報提供システムの処理を説明するフローチャートである。
【図７】携帯電話機１が表示するトップページの例を示す図である。
【図８】携帯電話機１が表示するトップページの例を示す図である。
【図９】携帯電話機１が表示するトップページの例を示す図である。
【図１０】携帯電話機１が表示するトップページの例を示す図である。
【図１１】ブラウザプログラムを起動させた携帯電話機１にトップページを表示させる、情報提供システムの他の処理を説明するフローチャートである。
【図１２】本発明に係る情報提供システムの一実施の形態の他の構成を示すブロック図である。
【図１３】サーバ２０２の構成の例を示すブロック図である。
【図１４】携帯電話機２０１に対応テーブル２６１を取得させる、情報提供システムの処理を説明するフローチャートである。
【図１５】携帯電話機２０１にコンテンツを取得させる、情報提供システムの処理を説明するフローチャートである。
【符号の説明】
１  携帯電話機，  ３  公衆回線網，  ４  ネットワーク，  ５  サーバ，  ６  サーバ，  １１  通信部，  １２  ＧＰＳ受信部，  １４  ドライブ，  ３２送受信部，  ３３  制御部，  ３４  表示部，  ３７  リアルタイムクロック，  ３８  メモリ，  ５１  ＣＰＵ，  ５３  送信部，  ５４  受信部，  ７１  磁気ディスク，  ７２  光ディスク，  ７３  光磁気ディスク，  ７４  半導体メモリ，  １０１  ＣＰＵ，  １０２  ＲＯＭ，  １０３  ＲＡＭ，  １０８  記憶部，１０９  通信部，  １１０  リアルタイムクロック，  １１１  ドライブ，  １２１  対応テーブル，  １２２  送信部，  １２３  受信部，  １３１  磁気ディスク，  １３２  光ディスク，  １３３  光磁気ディスク，  １３４  半導体メモリ，  ２０１  携帯電話機，  ２０２  サーバ，  ２１１  通信部，  ２１２  ＧＰＳ受信部，  ２１４  ドライブ，  ２３２  送受信部，  ２３３  制御部，  ２３４  表示部，  ２３７  リアルタイムクロック，  ２３８  メモリ，２５１  ＣＰＵ，  ２５３  送信部，  ２５４  受信部，  ２６１  対応テーブル，  ２７１  磁気ディスク，  ２７２  光ディスク，  ２７３  光磁気ディスク，  ２７４  半導体メモリ，  ３０１  ＣＰＵ，  ３０２  ＲＯＭ，  ３０３  ＲＡＭ，  ３０８  記憶部，  ３０９  通信部，  ３１０  ドライブ，  ３２１  対応テーブル，  ３２２  送信部，  ３２３  受信部，  ３３１  磁気ディスク，  ３３２  光ディスク，  ３３３  光磁気ディスク，  ３３４  半導体メモリ
【図１】
2004318463.tif 000003
【図２】
2004318463.tif 000004
【図３】
2004318463.tif 000005
【図４】
2004318463.tif 000006
【図５】
2004318463.tif 000007
【図６】
2004318463.tif 000008
【図７】
2004318463.tif 000009
【図８】
2004318463.tif 000010
【図９】
2004318463.tif 000011
【図１０】
2004318463.tif 000012
【図１１】
2004318463.tif 000013
【図１２】
2004318463.tif 000014
【図１３】
2004318463.tif 000015
【図１４】
2004318463.tif 000016
【図１５】
2004318463.tif 000017